(57)【要約】      （修正有）【課題】タッチに対する検出感度を高めつつ、高い位置分解能を実現できるタッチ検出装置を提供する。【解決手段】一方向に延在するように並設された複数の駆動電極ＣＯＭＬと、駆動電極の延在方向と直交する方向に延在し、その交差部分に静電容量を形成するように配置された検出電極と、複数の駆動電極から駆動対象電極（駆動範囲Ｂｎ）を所定の複数本ずつ時分割的に順次選択し、その選択された駆動対象電極に対して外部近接物体を検出するための複数のパルス波形を有するタッチ検出駆動信号を印加することにより走査駆動を行う走査駆動部とを備える。複数の駆動電極ＣＯＭＬは、同時に駆動される当該駆動電極ＣＯＭＬを接続してなる互いに異なる幅をもつ複数の種類の駆動電極ＣＯＭＬを含み、走査駆動の走査ピッチが、所定の駆動範囲に応じて複数の種類の駆動電極ＣＯＭＬを組み合わせた複数の種類の駆動電極の合計幅である。【選択図】図１０
2015028801.tif 000002
【特許請求の範囲】
【請求項１】
一方向に延在するように並設された複数の駆動電極と、
前記駆動電極の延在方向と直交する方向に延在し、その交差部分に静電容量を形成するように配置された検出電極と、
前記複数の駆動電極から駆動対象電極を所定の複数本ずつ時分割的に順次選択し、その選択された駆動対象電極に対して外部近接物体を検出するための複数のパルス波形を有するタッチ検出駆動信号を印加することにより走査駆動を行う走査駆動部と、を備え、
前記複数の駆動電極は、同時に駆動される当該駆動電極を接続してなる互いに異なる幅をもつ複数の種類の駆動電極を含み、
前記走査駆動の走査ピッチが、所定の駆動範囲に応じて前記複数の種類の駆動電極を組み合わせた前記複数の種類の駆動電極の合計幅である、タッチ検出装置。
【請求項２】
前記検出電極の検出信号を前記駆動信号の前記複数のパルス波形の遷移に対応したタイミングでサンプリングすることにより外部近接物体を検出するタッチ検出部をさらに備えた、請求項１に記載のタッチ検出装置。
【請求項３】
前記タッチ検出部は、走査駆動部が前記駆動対象電極を駆動するごとに、その駆動された駆動対象電極に対応する領域についての外部近接物体の検出を完了する、請求項２に記載のタッチ検出装置。
【請求項４】
前記タッチ検出部は、順次選択された前記駆動対象電極ごとに得られた全ての検出結果に基づいてタッチ位置を求める、請求項３に記載のタッチ検出装置。
【請求項５】
一方向に延在するように並設され、同時に駆動される当該駆動電極を接続してなる互いに異なる幅をもつ複数の種類の駆動電極を含む複数の駆動電極から駆動対象電極を所定の複数本ずつ時分割的に順次選択し、その選択された駆動対象電極に対して外部近接物体を検出するための複数のパルス波形を有するタッチ検出駆動信号を印加し、走査ピッチが、所定の駆動範囲に応じて前記複数の種類の駆動電極を組み合わせた前記複数の種類の駆動電極の合計幅となるように走査駆動を行い、
前記駆動電極の延在方向と直交する方向に延在し、その交差部分に静電容量を形成するように配置された検出電極の検出信号に基づいて外部近接物体を検出する、タッチ検出装置の駆動方法。
【請求項６】
一方向に延在するように並設された複数の駆動電極と、
前記駆動電極の延在方向と直交する方向に延在し、その交差部分に静電容量を形成するように配置された検出電極と、
画素信号および表示駆動信号に基づいて表示を行う表示素子と、
前記複数の駆動電極に対して、前記表示駆動信号を時分割的に順次印加する第１の走査駆動と、前記複数の駆動電極から駆動対象電極を所定の複数本ずつ時分割的に順次選択し、その選択された駆動対象電極に対して外部近接物体を検出するための複数のパルス波形を有するタッチ検出駆動信号を印加する第２の走査駆動とを行う走査駆動部と
を備え、
前記複数の駆動電極は、同時に駆動される当該駆動電極を接続してなる互いに異なる幅をもつ複数の種類の駆動電極を含み、
前記走査駆動の走査ピッチが、所定の駆動範囲に応じて前記複数の種類の駆動電極を組み合わせた前記複数の種類の駆動電極の合計幅である、タッチ検出機能付き表示装置。
【請求項７】
タッチ検出装置と、
前記タッチ検出装置を利用した動作制御を行う制御部と
を備え、
前記タッチ検出装置は、
一方向に延在するように並設された複数の駆動電極と、
前記駆動電極の延在方向と直交する方向に延在し、その交差部分に静電容量を形成するように配置された検出電極と、
前記複数の駆動電極から駆動対象電極を所定の複数本ずつ時分割的に順次選択し、その選択された駆動対象電極に対して外部近接物体を検出するための複数のパルス波形を有するタッチ検出駆動信号を印加することにより走査駆動を行う走査駆動部と
を有し、
前記複数の駆動電極は、同時に駆動される当該駆動電極を接続してなる互いに異なる幅をもつ複数の種類の駆動電極を含み、
前記走査駆動の走査ピッチが、所定の駆動範囲に応じて前記複数の種類の駆動電極を組み合わせた前記複数の種類の駆動電極の合計幅である、電子機器。
【発明の詳細な説明】
【技術分野】
【０００１】
本発明は、タッチ検出装置に係り、特に外部近接物体による静電容量の変化に基づいてタッチを検出するタッチ検出装置およびその駆動方法、そのようなタッチ検出装置を備えたタッチ検出機能付き表示装置、ならびに電子機器に関する。
【背景技術】
【０００２】
近年、いわゆるタッチパネルと呼ばれる接触検出装置を液晶表示装置等の表示装置上に装着し、あるいはタッチパネルと表示装置とを一体化し、その表示装置に各種のボタン画像等を表示させることにより、通常の機械式ボタンの代わりとして情報入力を可能とした表示装置が注目されている。このようなタッチパネルを有する表示装置は、キーボードやマウス、キーパッドのような入力装置を必要としないため、コンピュータのほか、携帯電話のような携帯情報端末などでも、使用が拡大する傾向にある。
【０００３】
タッチ検出装置の方式としては、光学式や抵抗式などいくつかの方式が存在するが、比較的単純な構造をもち、かつ低消費電力が実現できる、静電容量式のタッチ検出装置が期待されている。例えば、特許文献１には、表示装置にもともと備えられている表示用の共通電極を、一対のタッチセンサ用電極のうちの一方の電極（駆動電極）として兼用し、他方の電極（タッチ検出電極）をこの共通電極と交差するように配置した表示装置が提案されている。この駆動電極とタッチ検出電極との間には静電容量が形成され、外部近接物体に応じてその静電容量が変化する。この表示装置は、これを利用して、駆動電極に駆動信号を印加したときにタッチ検出電極に現れるタッチ検出信号を解析することにより、外部近接物体を検出するようになっている。この表示装置では、共通電極（駆動電極）に駆動信号を順次印加し、線順次走査を行うことにより表示動作が行われるとともに、その駆動信号に応じてタッチ検出電極に現れるタッチ検出信号を解析することによりタッチ検出動作が行われる。
【先行技術文献】
【特許文献】
【０００４】
【特許文献１】特開２００９−２４４９５８号公報
【発明の概要】
【発明が解決しようとする課題】
【０００５】
ところで、タッチ検出装置の重要な特性として、タッチに対する検出感度と、タッチ位置を検出する際の位置分解能がある。静電容量式のタッチ検出装置において、検出感度を高めるためには、例えば、駆動電極の幅を太くする方法が考えられる。しかしながら、この場合には、タッチ検出走査の走査ピッチが広くなり、走査が粗くなってしまうため、位置分解能が低下してしまうおそれがある。
【０００６】
本発明は、かかる問題点に鑑みてなされたものであり、タッチに対する検出感度を高めつつ、高い位置分解能を実現できるタッチ検出装置およびその駆動方法、タッチ検出機能付き表示装置、ならびに電子機器を提供することを目的とする。
【課題を解決するための手段】
【０００７】
本発明のタッチ検出装置は、一方向に延在するように並設された複数の駆動電極と、前記駆動電極の延在方向と直交する方向に延在し、その交差部分に静電容量を形成するように配置された検出電極と、前記複数の駆動電極から駆動対象電極を所定の複数本ずつ時分割的に順次選択し、その選択された駆動対象電極に対して外部近接物体を検出するための複数のパルス波形を有するタッチ検出駆動信号を印加することにより走査駆動を行う走査駆動部と、を備え、前記複数の駆動電極は、同時に駆動される当該駆動電極を接続してなる互いに異なる幅をもつ複数の種類の駆動電極を含み、前記走査駆動の走査ピッチが、所定の駆動範囲に応じて前記複数の種類の駆動電極を組み合わせた前記複数の種類の駆動電極の合計幅である。
【０００８】
本発明のタッチ検出装置においては、前記検出電極の検出信号を前記駆動信号の前記複数のパルス波形の遷移に対応したタイミングでサンプリングすることにより外部近接物体を検出するタッチ検出部をさらに備えたことが好ましい。
【０００９】
本発明のタッチ検出装置においては、前記タッチ検出部は、走査駆動部が前記駆動対象電極を駆動するごとに、その駆動された駆動対象電極に対応する領域についての外部近接物体の検出を完了することが好ましい。
【００１０】
本発明のタッチ検出装置においては、前記タッチ検出部は、順次選択された前記駆動対象電極ごとに得られた全ての検出結果に基づいてタッチ位置を求めることが好ましい。
【００１１】
本発明のタッチ検出装置の駆動方法は、一方向に延在するように並設され、同時に駆動される当該駆動電極を接続してなる互いに異なる幅をもつ複数の種類の駆動電極を含む複数の駆動電極から駆動対象電極を所定の複数本ずつ時分割的に順次選択し、その選択された駆動対象電極に対して外部近接物体を検出するための複数のパルス波形を有するタッチ検出駆動信号を印加し、走査ピッチが、所定の駆動範囲に応じて前記複数の種類の駆動電極を組み合わせた前記複数の種類の駆動電極の合計幅となるように走査駆動を行い、前記駆動電極の延在方向と直交する方向に延在し、その交差部分に静電容量を形成するように配置された検出電極の検出信号に基づいて外部近接物体を検出する。
【００１２】
本発明のタッチ検出機能付き表示装置は、一方向に延在するように並設された複数の駆動電極と、前記駆動電極の延在方向と直交する方向に延在し、その交差部分に静電容量を形成するように配置された検出電極と、画素信号および表示駆動信号に基づいて表示を行う表示素子と、前記複数の駆動電極に対して、前記表示駆動信号を時分割的に順次印加する第１の走査駆動と、前記複数の駆動電極から駆動対象電極を所定の複数本ずつ時分割的に順次選択し、その選択された駆動対象電極に対して外部近接物体を検出するための複数のパルス波形を有するタッチ検出駆動信号を印加する第２の走査駆動とを行う走査駆動部とを備え、前記複数の駆動電極は、同時に駆動される当該駆動電極を接続してなる互いに異なる幅をもつ複数の種類の駆動電極を含み、前記走査駆動の走査ピッチが、所定の駆動範囲に応じて前記複数の種類の駆動電極を組み合わせた前記複数の種類の駆動電極の合計幅である。
【００１３】
本発明の電子機器は、タッチ検出装置と、前記タッチ検出装置を利用した動作制御を行う制御部とを備え、前記タッチ検出装置は、一方向に延在するように並設された複数の駆動電極と、前記駆動電極の延在方向と直交する方向に延在し、その交差部分に静電容量を形成するように配置された検出電極と、前記複数の駆動電極から駆動対象電極を所定の複数本ずつ時分割的に順次選択し、その選択された駆動対象電極に対して外部近接物体を検出するための複数のパルス波形を有するタッチ検出駆動信号を印加することにより走査駆動を行う走査駆動部とを有し、前記複数の駆動電極は、同時に駆動される当該駆動電極を接続してなる互いに異なる幅をもつ複数の種類の駆動電極を含み、前記走査駆動の走査ピッチが、所定の駆動範囲に応じて前記複数の種類の駆動電極を組み合わせた前記複数の種類の駆動電極の合計幅である。
【発明の効果】
【００１４】
本発明によれば、タッチに対する検出感度を高めつつ、高い位置分解能を実現できるタッチ検出装置およびその駆動方法、タッチ検出機能付き表示装置、ならびに電子機器を提供できる。
【図面の簡単な説明】
【００１５】
【図１】本発明のタッチ検出装置におけるタッチ検出方式の基本原理を説明するための図であり、指が接触または近接していない状態を表す図である。
【図２】本発明のタッチ検出装置におけるタッチ検出方式の基本原理を説明するための図であり、指が接触または近接した状態を表す図である。
【図３】本発明のタッチ検出装置におけるタッチ検出方式の基本原理を説明するための図であり、駆動信号およびタッチ検出信号の波形の一例を表す図である。
【図４】本発明の第１の実施の形態に係るタッチ検出装置の一構成例を表すブロック図である。
【図５】図４に示したタッチ検出デバイスの駆動電極およびタッチ検出電極の一構成例を表す斜視図である。
【図６】図４に示したタッチ検出装置の走査駆動の一動作例を表す模式図である。
【図７】図４に示したタッチ検出装置の一動作例を表すタイミング波形図である。
【図８】比較例に係るタッチ検出装置の走査駆動の一動作例を表す模式図である。
【図９】比較例に係るタッチ検出装置の走査駆動の一動作例を表す模式図である。
【図１０】第２の実施の形態に係るタッチ検出デバイスの駆動電極の一構成例を表す平面図である。
【図１１】第３の実施の形態に係るタッチ検出機能付き表示装置の一構成例を表すブロック図である。
【図１２】図１１に示したタッチ検出機能付き表示デバイスの概略断面構造を表す断面図である。
【図１３】図１１に示したタッチ検出機能付き表示デバイスの画素配列を表す回路図である。
【図１４】実施の形態を適用したタッチ検出装置のうち、適用例１の外観構成を表す斜視図である。
【図１５】適用例２の外観構成を表す斜視図である。
【図１６】適用例３の外観構成を表す斜視図である。
【図１７】適用例４の外観構成を表す斜視図である。
【図１８】適用例５の外観構成を表す正面図、側面図、上面図および下面図である。
【図１９】変形例に係るタッチ検出機能付き表示デバイスの概略断面構造を表す断面図である。
【発明を実施するための形態】
【００１６】
以下、本発明の実施の形態について、図面を参照して詳細に説明する。なお、説明は以下の順序で行う。
１．静電容量式タッチ検出の基本原理
２．第１の実施の形態（タッチ検出装置）
３．第２の実施の形態（タッチ検出装置）
４．第３の実施の形態（タッチ検出機能付き表示装置）
５．適用例
【００１７】
＜１．静電容量式タッチ検出の基本原理＞
まず最初に、図１〜図３を参照して、本発明のタッチ検出装置におけるタッチ検出の基本原理について説明する。このタッチ検出方式は、静電容量式のタッチセンサとして具現化されるものであり、例えば図１（Ａ）に示したように、誘電体Ｄを挟んで互いに対向配置された一対の電極（駆動電極Ｅ１およびタッチ検出電極Ｅ２）を用い、容量素子を構成する。この構造は、図１（Ｂ）に示した等価回路として表される。駆動電極Ｅ１、タッチ検出電極Ｅ２および誘電体Ｄによって、容量素子Ｃ１が構成される。容量素子Ｃ１は、その一端が交流信号源（駆動信号源）Ｓに接続され、他端Ｐは抵抗器Ｒを介して接地されると共に、電圧検出器（タッチ検出回路）ＤＥＴに接続される。交流信号源Ｓから駆動電極Ｅ１（容量素子Ｃ１の一端）に所定の周波数（例えば数ｋＨｚ〜数十ｋＨｚ程度）の交流矩形波Ｓｇ（図３（Ｂ））を印加すると、タッチ検出電極Ｅ２（容量素子Ｃ１の他端Ｐ）に、図３（Ａ）に示したような出力波形（タッチ検出信号Ｖdet）が現れる。なお、この交流矩形波Ｓｇは、後述するタッチ検出駆動信号Ｖcomtに相当するものである。
【００１８】
指が接触（または近接）していない状態では、図１に示したように、容量素子Ｃ１に対する充放電に伴って、容量素子Ｃ１の容量値に応じた電流Ｉ０が流れる。このときの容量素子Ｃ１の他端Ｐの電位波形は、例えば図３（Ａ）の波形Ｖ０のようになり、これが電圧検出器ＤＥＴによって検出される。
【００１９】
一方、指が接触（または近接）した状態では、図２に示したように、指によって形成される容量素子Ｃ２が容量素子Ｃ１に直列に追加された形となる。この状態では、容量素子Ｃ１、Ｃ２に対する充放電に伴って、それぞれ電流Ｉ１、Ｉ２が流れる。このときの容量素子Ｃ１の他端Ｐの電位波形は、例えば図３（Ａ）の波形Ｖ１のようになり、これが電圧検出器ＤＥＴによって検出される。このとき、点Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。電圧検出器ＤＥＴは、検出した電圧を所定のしきい値電圧Ｖthと比較し、このしきい値電圧以上であれば非接触状態と判断する一方、しきい値電圧未満であれば接触状態と判断する。このようにして、タッチ検出が可能となる。
【００２０】
＜２．第１の実施の形態＞
［構成例］
（全体構成例）
図４は、本発明の第１の実施の形態に係るタッチ検出装置の一構成例を表すものである。このタッチ検出装置は、互いに交差するように配置された電極の間の静電容量が、外部近接物体により変化することを利用した、静電容量式のものである。なお、本発明の実施の形態に係るタッチ検出装置の駆動方法は、本実施の形態により具現化されるので、併せて説明する。
【００２１】
このタッチ検出装置１は、制御部１１と、駆動電極ドライバ１４と、タッチ検出デバイス３０と、タッチ検出部４０とを備えている。
【００２２】
制御部１１は、駆動電極ドライバ１４およびタッチ検出部４０に対してそれぞれ制御信号を供給し、これらがお互いに同期して動作するように制御する回路である。
【００２３】
駆動電極ドライバ１４は、制御部１１から供給される制御信号に基づいて、タッチ検出デバイス３０の駆動電極ＣＯＭＬ（後述）にタッチ検出駆動信号Ｖcomtを供給する回路である。タッチ検出駆動信号Ｖcomtは、複数のパルス波形を有する信号である。駆動電極ドライバ１４は、後述するように、所定本数の駆動電極ＣＯＭＬに対して、このタッチ検出駆動信号Ｖcomtを同時に印加するとともに、そのタッチ検出駆動信号Ｖcomtを印加する駆動電極ＣＯＭＬを、その所定本数よりも少ない本数ずつシフトすることにより走査を行うものである。
【００２４】
タッチ検出デバイス３０は、上述した静電容量式タッチ検出の基本原理に基づいて動作し、タッチ検出信号Ｖdetを出力するものである。このタッチ検出デバイス３０は、後述するように、駆動電極ドライバ１４から供給されるタッチ検出駆動信号Ｖcomtに従って走査を行い、タッチ検出を行うようになっている。
【００２５】
図５は、タッチ検出デバイス３０の一構成例を斜視的に表すものである。タッチ検出デバイス３０は、駆動電極ＣＯＭＬおよびタッチ検出電極ＴＤＬにより構成されている。駆動電極ＣＯＭＬは、図の左右方向に延在し、互いに同じ幅で形成され並設されている。タッチ検出動作を行う際は、各電極パターンには、駆動電極ドライバ１４によってタッチ検出駆動信号Ｖcomtが順次供給され、時分割的に順次走査駆動が行われるようになっている。タッチ検出電極ＴＤＬは、駆動電極ＣＯＭＬの電極パターンの延在方向と直交する方向に延びる電極パターンから構成されている。タッチ検出電極ＴＤＬの各電極パターンは、タッチ検出部４０にそれぞれ接続されている。駆動電極ＣＯＭＬとタッチ検出電極ＴＤＬにより互いに交差した電極パターンは、その交差部分に静電容量を形成している。
【００２６】
この構成により、タッチ検出デバイス３０では、駆動電極ドライバ１４が駆動電極ＣＯＭＬに対してタッチ検出駆動信号Ｖcomtを印加することにより、タッチ検出電極ＴＤＬからタッチ検出信号Ｖdetを出力し、タッチ検出が行われるようになっている。つまり、駆動電極ＣＯＭＬは、図１〜図３に示したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。図５に示したように、互いに交差した電極パターンは、静電容量式タッチセンサをマトリックス状に構成している。よって、タッチ検出デバイス３０のタッチ検出面全体にわたって走査することにより、外部近接物体の接触または近接が生じた位置の検出も可能となっている。
【００２７】
タッチ検出部４０は、制御部１１から供給される制御信号と、タッチ検出デバイス３０から供給されたタッチ検出信号Ｖdetに基づいて、タッチ検出デバイス３０に対するタッチの有無を検出し、タッチがある場合においてタッチ検出領域におけるその座標などを求める回路である。このタッチ検出部４０はアナログＬＰＦ（Ｌｏｗ  Ｐａｓｓ  Ｆｉｌｔｅｒ）部４２と、Ａ／Ｄ変換部４３と、信号処理部４４と、座標抽出部４５と、検出タイミング制御部４６とを有している。アナログＬＰＦ部４２は、タッチ検出デバイス３から供給されるタッチ検出信号Ｖdetに含まれる高い周波数成分（ノイズ成分）を除去し、タッチ成分を取り出してそれぞれ出力する低域通過アナログフィルタである。アナログＬＰＦ部４２の入力端子のそれぞれと接地との間には、直流電位（０Ｖ）を与えるための抵抗Ｒが接続されている。なお、この抵抗Ｒに代えて、例えばスイッチを設け、所定の時間にこのスイッチをオン状態にすることにより直流電位（０Ｖ）を与えるようにしてもよい。Ａ／Ｄ変換部４３は、駆動信号Ｖcomに同期したタイミングで、アナログＬＰＦ部４２から出力されるアナログ信号をそれぞれサンプリングしてデジタル信号に変換する回路である。信号処理部４４は、Ａ／Ｄ変換部４３の出力信号に基づいて、タッチ検出デバイス３０に対するタッチの有無を検出する論理回路である。座標抽出部４５は、信号処理部４４においてタッチ検出がなされたときに、そのタッチ位置を補間演算などにより求める論理回路である。検出タイミング制御部４６は、これらの回路が同期して動作するように制御するようになっている。
【００２８】
ここで、タッチ検出電極ＴＤＬは、本発明における「検出電極」の一具体例に対応する。駆動電極ドライバ１４は、本発明における「走査駆動部」の一具体例に対応する。
【００２９】
［動作および作用］
続いて、本実施の形態のタッチ検出装置１の動作および作用について説明する。
【００３０】
（全体動作概要）
まず、図４を参照して、タッチ検出装置１の全体動作概要を説明する。制御部１１は、駆動電極ドライバ１４およびタッチ検出部４０に対してそれぞれ制御信号を供給し、これらがお互いに同期して動作するように制御する。駆動電極ドライバ１４は、タッチ検出デバイス３０の駆動電極ＣＯＭＬに複数のパルス波形を有するタッチ検出駆動信号Ｖcomtを順次印加する。タッチ検出デバイス３０は、タッチ検出駆動信号Ｖcomtに基づいてタッチ検出動作を行い、タッチ検出電極ＴＤＬからタッチ検出信号Ｖdetを出力する。アナログＬＰＦ部４２は、タッチ検出信号Ｖdetの高い周波数成分を除去して出力する。Ａ／Ｄ変換部４３は、駆動信号Ｖcomに同期したタイミングで、アナログＬＰＦ部４２から出力されるアナログ信号をデジタル信号に変換する。信号処理部４４は、Ａ／Ｄ変換部４３の出力信号に基づいて、タッチ検出デバイス３０に対するタッチの有無を検出する。座標抽出部４５は、信号処理部４４においてタッチ検出がなされたときに、そのタッチ位置を求める。検出タイミング制御部４６は、アナログＬＰＦ部４２、Ａ／Ｄ変換部４３、信号処理部４４、座標抽出部４５が同期して動作するように制御する。
【００３１】
（詳細動作）
次に、走査駆動動作を詳細に説明する。
【００３２】
図６は、タッチ検出装置１の走査駆動の一動作例を表すものである。図６に示したように、駆動電極ＣＯＭＬは、互いに同じ幅で形成され並設されている。駆動電極ドライバ１４は、所定本数の駆動電極ＣＯＭＬ（例えば駆動範囲Ａ１）を同時に駆動する。タッチ検出デバイス３０では、この所定本数の駆動電極ＣＯＭＬに印加されたタッチ検出駆動信号Ｖcomtが、静電容量を介してタッチ検出電極ＴＤＬに伝わり、タッチ検出信号Ｖdetとして出力される。すなわち、この所定本数の駆動電極ＣＯＭＬ（例えば駆動範囲Ａ１）に対応する領域が、タッチ検出面における、その時のタッチ検出領域となり、その領域の幅（タッチ検出幅ｂ）は所定本数の駆動電極ＣＯＭＬの幅と同じである。そして駆動電極ドライバ１４は、駆動範囲Ａ１，Ａ２，Ａ３，Ａ４…の順に、駆動電極ＣＯＭＬを時分割的に走査駆動する。すなわち、駆動電極ドライバ１４は、走査ピッチａで走査駆動する。この例では、駆動電極ドライバ１４は、５本の駆動電極ＣＯＭＬ（タッチ検出幅ｂ）を同時に駆動し、その駆動に係る駆動電極ＣＯＭＬを４本ずつシフト（走査ピッチａ）して走査するようになっている。
【００３３】
タッチ検出装置１では、駆動電極の駆動の仕方により走査ピッチａおよびタッチ検出幅ｂを自由に設定することができる。すなわち、走査ピッチａは、図６において、互いに隣接する駆動範囲（例えば駆動範囲Ａ１と駆動範囲Ａ２）が重なる部分の駆動電極の本数により設定することができる。また、タッチ検出幅ｂは、各駆動範囲Ａｎ（ｎは自然数）における駆動電極の本数により設定することができる。このように、タッチ検出装置１では、走査ピッチａおよびタッチ検出幅ｂを、それぞれ独立して設定することが可能である。
【００３４】
走査ピッチａは、タッチ位置を検出する際の位置分解能と相関がある。すなわち、一般に、走査ピッチａを小さくすると、位置分解能を高くすることができる。一方、タッチ検出幅ｂは、タッチに対する検出感度と相関がある。一般に、タッチ検出幅ｂを大きくすると、検出感度を高くすることができる。これは、タッチ検出幅ｂを大きくすることにより、その面積に応じて、タッチ検出幅ｂに係る駆動電極ＣＯＭＬからの電気力線の本数が増加するためである。
【００３５】
タッチ検出装置１では、走査ピッチａおよびタッチ検出幅ｂをそれぞれ独立して設定することができるため、位置分解能および検出感度をそれぞれ独立して設定することができる。例えば、検出感度を維持したまま、位置分解能を高くしたい場合には、タッチ検出幅ｂを維持したまま走査ピッチａを小さくすればよい。一方、例えば、位置分解能を維持したまま、検出感度を高くしたい場合には、走査ピッチａを維持したままタッチ検出幅ｂを大きくすればよい。また、例えば、位置分解能と検出感度の両方を高くしたい場合には、タッチ検出幅ｂを大きくするとともに、走査ピッチａを小さくすればよい。
【００３６】
このように、タッチ検出装置１では、走査ピッチａおよびタッチ検出幅ｂを独立して設定できるようにしたので、タッチ位置を検出する際の位置分解能と、タッチに対する検出感度とを独立して設定することができる。
【００３７】
図７は、タッチ検出装置１のタイミング波形例を表すものであり、（Ａ）はタッチ検出駆動信号Ｖcomtの波形を示し、（Ｂ）はタッチ検出信号Ｖdetの波形を示す。
【００３８】
駆動電極ドライバ１４は、駆動電極ＣＯＭＬに対して、複数のパルス波形を有するタッチ検出駆動信号Ｖcomtを、駆動範囲Ａｎごとに時分割的に印加する（図７（Ａ））。タッチ検出デバイス３０は、タッチ検出駆動信号Ｖcomtに基づく信号をタッチ検出信号Ｖdetとして出力する（図７（Ｂ））。そして、タッチ検出部４０は、各駆動範囲Ａｎのタッチ検出信号Ｖdetを、それぞれ別々に解析して、タッチの有無およびタッチ位置などを検出する。
【００３９】
具体的には、まず、期間Ｐ１において、駆動電極ドライバ１４は、駆動範囲Ａ１に係る駆動電極ＣＯＭＬに対して、複数のパルス波形を有するタッチ検出駆動信号Ｖcomtを印加する（図７（Ａ）のＶcomt（Ａ１））。タッチ検出デバイス３０では、駆動範囲Ａ１に係る駆動電極ＣＯＭＬと、タッチ検出電極ＴＤＬとの間の静電容量を介して、このタッチ検出駆動信号Ｖcomtがタッチ検出電極ＴＤＬに伝わり、タッチ検出信号Ｖdetが変化する（図７（Ｂ））。タッチ検出部４０のＡ／Ｄ変換部４３は、このタッチ検出信号Ｖdetが入力されたアナログＬＰＦ部４２の出力信号を、タッチ検出駆動信号Ｖcomtの複数のパルス波形の遷移に対応したサンプリングタイミングｔｓでサンプリングし（図７（Ｂ））、Ａ／Ｄ変換する。信号処理部４４は、この複数のＡ／Ｄ変換結果に基づいて、駆動範囲Ａ１に対応する領域におけるタッチの有無を求める。
【００４０】
期間Ｐ２以降においても、タッチ検出装置１は、期間Ｐ１と同様にタッチ検出を行う。すなわち、例えば期間Ｐ２において、駆動電極ドライバ１４は、駆動範囲Ａ２に係る駆動電極ＣＯＭＬに対して、タッチ検出駆動信号Ｖcomtを印加する（図７（Ａ）のＶcomt（Ａ２））。タッチ検出デバイス３０では、駆動範囲Ａ２に係る駆動電極ＣＯＭＬと、タッチ検出電極ＴＤＬとの間の静電容量を介して、このタッチ検出駆動信号Ｖcomtがタッチ検出電極ＴＤＬに伝わり、タッチ検出信号Ｖdetが変化する（図７（Ｂ））。そして、Ａ／Ｄ変換部４３および信号処理部４４は、このタッチ検出信号Ｖdetに基づいて、駆動範囲Ａ２に対応する領域におけるタッチの有無を求める。
【００４１】
このように、タッチ検出面全面に対して上述した動作を行うことにより、信号処理部４４は、各駆動範囲Ａｎに対応する領域におけるタッチの有無を別々に求める。そして、タッチ検出部４０の座標抽出部４５は、全ての駆動範囲Ａｎにおけるタッチ検出結果に基づいて、例えば、タッチが検出された複数の領域（位置）に対して重み平均などにより補間演算を行い、そのタッチ位置を検出する。
【００４２】
タッチ検出装置１では、駆動電極ドライバ１４が、各駆動範囲Ａｎに対して、複数のパルス波形を有するタッチ検出駆動信号Ｖcomtを駆動電極ＣＯＭＬに印加し、タッチ検出部４０のアナログＬＰＦ部４２、Ａ／Ｄ変換部４３、および信号処理部４４が、タッチ検出電極ＴＤＬから出力されたタッチ検出信号Ｖdetに基づいて、その駆動範囲Ａｎに対応する領域におけるタッチを検出している。すなわち、これらのブロックは、各駆動範囲Ａｎに対応する領域において、複数のサンプリング結果に基づいてタッチを検出している。これにより、サンプリング結果を統計的に解析することが可能となり、サンプリング結果のばらつきに起因するＳ／Ｎ比の劣化を最低限に抑えることができる。
【００４３】
また、タッチ検出装置１では、駆動範囲Ａｎに対応する領域ごとに、駆動電極ドライバ１４が複数のパルス波形を有するタッチ検出駆動信号Ｖcomtを駆動電極ＣＯＭＬに印加し、タッチ検出部４０のアナログＬＰＦ部４２、Ａ／Ｄ変換部４３、および信号処理部４４が、その領域ごとにタッチを検出している。これにより、駆動範囲Ａｎごとに、複数回駆動して検出したデータを単純に積算（平均）するだけでよいため、タッチ検出部４０の構成をシンプルにすることができる。
【００４４】
Ｓ／Ｎ比を改善するために複数のサンプリング結果に基づいてタッチを検出する方法としては、以上に説明した方法の他、例えば、１つのパルス波形を有するタッチ検出駆動信号を所定本数の駆動電極ＣＯＭＬに同時に印加し、そのタッチ検出駆動信号が印加された駆動電極ＣＯＭＬを１本ずつシフトして走査する方法も考えられる。このような方法において、上述したように検出データを単純に積算（平均）した場合には、隣接する駆動電極ＣＯＭＬにおけるデータと混ざってしまうため、位置精度が著しく低下するおそれがある。この位置精度の低下を抑えるためには、例えば、タッチ検出面全体に対するＡ／Ｄ変換結果を全て収集したうえで、各駆動電極ＣＯＭＬに対応する領域による寄与を分離することにより、それぞれの領域におけるタッチ検出を求める方法が考えられるが、この場合には、信号処理部の構成が複雑になるおそれがある。一方、本実施の形態に係るタッチ検出装置１では、駆動範囲Ａｎごとに独立してタッチ検出を行うことができるため、信号処理部４４の構成をシンプルにすることができる。
【００４５】
図８は、タッチ検出装置１の一動作例を表すものである。この例では、駆動範囲Ａ１，Ａ２の両方にまたがるように、ユーザの指などによりタッチが行われている（タッチ領域Ｆ）。この場合、駆動範囲Ａ１に対してタッチ検出を行うときには、タッチ領域Ｆの半分しか駆動範囲Ａ１と重なっていないため、タッチの検出感度が低くなり、タッチ検出がしにくくなる。しかしながら、駆動範囲Ａ２に対してタッチ検出を行うときには、タッチ検出領域Ｆが駆動範囲Ａ２とより広い面積で重なるため、検出感度が高くなり、タッチ検出がしやすくなる。
【００４６】
このように、タッチ検出装置１では、駆動電極ＣＯＭＬを駆動する際、駆動範囲Ａｎが重なるようにしたので、例えば２つの駆動範囲にまたがるようにタッチが行われた場合でも、そのタッチ領域と駆動範囲Ａｎとの重なる面積を大きくすることができ、検出感度を高くすることができる。すなわち、駆動範囲Ａｎが重ならないように駆動した場合、具体的には、例えば、駆動範囲Ａ１と駆動範囲Ａ２が隣接するように駆動した場合には、タッチ領域と駆動範囲Ａ１とが重なる面積がタッチ領域の半分になったときには、そのタッチ領域と駆動範囲Ａ２とが重なる面積もタッチ領域の半分となる。よって、このような場合には、駆動範囲Ａ１に対してタッチ検出を行うとき、および駆動範囲Ａ２に対してタッチ検出を行うときの両方において、ともに検出感度が低くなってしまう。一方、タッチ検出装置１では、図８に示したように、タッチ領域Ｆと駆動範囲Ａ１との重なる面積がタッチ領域の半分になったときには、タッチ領域Ｆと駆動範囲Ａ２とがより広い面積で重なるため、検出感度を高くすることができ、タッチ検出をしやすくすることができる。
【００４７】
（比較例）
次に、いくつかの比較例と対比して、本実施の形態の作用を説明する。
【００４８】
図９は、比較例に係るタッチ検出装置の走査駆動の一動作例を表すものであり、（Ａ）はその一例（比較例１）を示し、（Ｂ）は他の例（比較例２）を示す。これらの比較例では、図９（Ａ），（Ｂ）に示したように、タッチ検出感度を高くするために、駆動電極ＣＯＭＬＲＡ，ＣＯＭＬＲＢの幅を、本実施の形態に係る駆動電極ＣＯＭＬ（図６）に比べて太く形成している。
【００４９】
比較例１，２では、駆動電極ドライバは、各駆動範囲ＲＡｎ，ＲＢｎ（ｎは自然数）に対して、複数のパルス信号を有するタッチ検出駆動信号Ｖcomtを時分割的に順次印加する。この場合、走査ピッチａおよびタッチ検出幅ｂは、ともに駆動範囲ＲＡｎ，ＲＢｎの幅（すなわち駆動電極ＣＯＭＬＲＡ，ＣＯＭＬＲＢの幅）と等しくなってしまう。つまり、本比較例１，２では、走査ピッチａとタッチ検出幅ｂが互いに等しくなってしまい、走査ピッチａとタッチ検出幅ｂとを独立に設定することができない。よって、例えば、図９（Ａ）に示した比較例１において、タッチに対する検出感度が十分でなかった場合において、図９（Ｂ）に示したように、駆動電極ＣＯＭＬＲＢを太く形成することにより（タッチ検出幅ｂを大きくすることにより）検出感度を高くしようとすると、走査ピッチａも大きくなってしまい、タッチ位置を検出する際の位置分解能が低下してしまう。また、例えば、図９（Ｂ）に示した比較例２において、タッチ位置を検出する際の位置分解能が十分でなかった場合において、図９（Ａ）に示したように、駆動電極ＣＯＭＬＲＡを細く形成することにより（走査ピッチａを小さくすることにより）位置分解能を高くしようとすると、タッチ検出幅ｂも小さくなってしまい、検出感度が低下してしまう。
【００５０】
一方、本実施の形態に係るタッチ検出装置では、タッチ検出装置１では、走査ピッチａおよびタッチ検出幅ｂを独立して設定できるようにしたので、タッチ位置を検出する際の位置分解能と、タッチに対する検出感度を独立して設定することができる。すなわち、タッチ検出幅ｂを大きくするとともに、走査ピッチａを小さくすることにより、位置分解能と検出感度の両方を高くすることができる。特に、走査ピッチａをタッチ検出幅ｂよりも小さくした場合には、比較例１，２と比べて、これらの両方の特性を高くすることができる。
【００５１】
［効果］
以上のように、本実施の形態では、走査ピッチａをタッチ検出幅ｂよりも小さくしたので、タッチ位置を検出する際の位置分解能とタッチに対する検出感度の両方を高くすることができる。
【００５２】
また、本実施の形態では、駆動電極の駆動の仕方により走査ピッチａおよびタッチ検出幅ｂを設定するようにしたので、走査ピッチａとタッチ検出幅ｂとを独立して設定することができ、位置分解能と検出感度とを独立して設定することができる。
【００５３】
また、本実施の形態では、駆動範囲に対応する領域ごとに、駆動電極ドライバがタッチ検出駆動信号を印加するとともに、タッチ検出部がタッチを検出するようにしたので、各駆動範囲に対応する領域におけるタッチ検出を、他の領域とは独立して行うことができ、タッチ検出部の構成をシンプルにすることができる。
【００５４】
また、本実施の形態では、駆動範囲が重なるようにしたので、例えば２つの駆動範囲にまたがるようにタッチが行われた場合でも、そのタッチ領域と駆動範囲との重なる面積を大きくすることができ、検出感度を高くすることができる。
【００５５】
＜３．第２の実施の形態＞
次に、本発明の第２の実施の形態に係るタッチ検出装置５について説明する。上記第１の実施の形態（図６）では、全て同じ幅の駆動電極ＣＯＭＬを用いてタッチ検出デバイス３０を構成したが、これに代えて、本実施の形態では、互いに異なる幅を有する複数の種類の駆動電極を用いてタッチ検出デバイスを構成している。すなわち、タッチ検出装置５は、このようなタッチ検出デバイス５０、およびそれを駆動する駆動電極ドライバ１６を用いて構成されたものである。その他の構成は、上記第１の実施の形態（図４）と同様である。なお、上記第１の実施の形態に係るタッチ検出装置１と実質的に同一の構成部分には同一の符号を付し、適宜説明を省略する。
【００５６】
図１０は、タッチ検出デバイス５０の駆動電極の一構成例を表すものである。図１０に示したように、タッチ検出デバイス５０は、異なる幅をもつ３種類の駆動電極ＣＯＭＬＡ，ＣＯＭＬＢ，ＣＯＭＬＣを有する。この例では、駆動電極ＣＯＭＬＡの幅は、駆動電極ＣＯＭＬＢの幅および駆動電極ＣＯＭＬＣの幅の合計幅と同程度になっている。駆動電極ドライバ１６は、各駆動範囲Ｂｎ（ｎは整数）において、これらの駆動電極ＣＯＭＬＡ，ＣＯＭＬＢ，ＣＯＭＬＣを組み合わせて駆動する。例えば、駆動電極ドライバ１６は、駆動範囲Ｂ２の駆動において、駆動電極ＣＯＭＬＣと、その両側の駆動電極ＣＯＭＬＢを同時に駆動する。そして、駆動電極ドライバ１６は、駆動範囲Ｂ１，Ｂ２，Ｂ３，Ｂ４…の順に、これらの駆動電極を時分割的に走査駆動する。その際、隣接する駆動範囲Ｂｎ（例えば駆動範囲Ｂ２と駆動範囲Ｂ３）において重なった部分に係る駆動電極ＣＯＭＬＢは、これらの隣接する駆動範囲の駆動において共用されている。このようにして、駆動電極ドライバ１６は、タッチ検出幅ｂに係る駆動電極を同時に駆動し、駆動される駆動電極を走査ピッチａずつシフトして走査する。
【００５７】
図１０に示したように、走査ピッチａは、駆動電極ＣＯＭＬＢの幅と駆動電極ＣＯＭＬＣの幅の合計幅に対応するものである。また、タッチ検出幅ｂは、２つの駆動電極ＣＯＭＬの幅と駆動電極ＣＯＭＬＣの幅の合計幅に対応するものである。よって、駆動電極ＣＯＭＬＢ，ＣＯＭＬＣの幅は、必要な位置分解能（走査ピッチａ）および検出感度（タッチ検出幅ｂ）に基づいて決めることができる。
【００５８】
タッチ検出装置５では、互いに異なる幅を有する３種類の駆動電極ＣＯＭＬＡ，ＣＯＭＬＢ，ＣＯＭＬＣを用いている。すなわち、これらの駆動電極ＣＯＭＬＡ，ＣＯＭＬＢ，ＣＯＭＬＣ（図１０）は、上記第１の実施の形態（図６）において、同時に駆動される駆動電極ＣＯＭＬを互いに接続して太く構成したものである。これにより、タッチ検出装置５では、上記第１の実施の形態に係るタッチ検出装置１に比べて、駆動電極の数を削減することができる。よって、駆動電極ドライバ１６が駆動する駆動電極の数が減るため、駆動電極ドライバ１６の構成をシンプルにすることができる。
【００５９】
以上のように、本実施の形態では、互いに異なる幅を有する複数の種類の駆動電極を用いたので、駆動電極の本数を減らすことができ、駆動電極ドライバ１６の構成をシンプルにすることができる。その他の効果は、上記第１の実施の形態の場合と同様である。
【００６０】
＜４．第３の実施の形態＞
次に、本発明の第３の実施の形態に係るタッチ検出機能付き表示装置７について説明する。タッチ検出機能付き表示装置７は、上記第１の実施の形態に係るタッチ検出デバイス３０と、表示素子として液晶表示素子を用いた液晶表示デバイスとを一体化した、いわゆるインセルタイプの装置である。なお、上記第１の実施の形態に係るタッチ検出装置１と実質的に同一の構成部分には同一の符号を付し、適宜説明を省略する。
【００６１】
図１１は、タッチ検出機能付き表示装置７の一構成例を表すものである。タッチ検出機能付き表示装置７は、タッチ検出機能付き表示デバイス１０と、制御部１７と、ゲートドライバ１２と、ソースドライバ１３と、駆動電極ドライバ１４Ｂとを備えている。
【００６２】
タッチ検出機能付き表示デバイス１０は、タッチ検出機能を内蔵した表示デバイスである。タッチ検出機能付き表示デバイス１０は、液晶表示デバイス２０と、タッチ検出デバイス３０Ｂとを有する。液晶表示デバイス２０は、後述するように、ゲートドライバ１２から供給される走査信号Ｖscanに従って、１水平ラインずつ順次走査して表示を行うデバイスである。タッチ検出デバイス３０Ｂは、上記第１の実施の形態に係るタッチ検出デバイス３０と同様の構成を有するものである。
【００６３】
図１２は、タッチ検出機能付き表示デバイス１０の要部断面構造の例を表すものである。このタッチ検出機能付き表示デバイス１０は、画素基板２と、この画素基板２に対向して配置された対向基板３と、画素基板２と対向基板３との間に挿設された液晶層６とを備えている。
【００６４】
画素基板２は、回路基板としてのＴＦＴ基板２１と、このＴＦＴ基板２１上にマトリックス状に配設された複数の画素電極２２とを有する。ＴＦＴ基板２１には、図示していないものの、各画素の薄膜トランジスタ（ＴＦＴ；Thin Film Transistor）や、各画素電極２２に画像信号Ｖpixを供給する画素信号線ＳＧＬ、各ＴＦＴを駆動する走査信号線ＧＣＬ等の配線が形成されている。
【００６５】
対向基板３は、ガラス基板３１と、このガラス基板３１の一方の面に形成されたカラーフィルタ３２と、このカラーフィルタ３２の上に形成された複数の駆動電極ＣＯＭＬとを有する。カラーフィルタ３２は、例えば赤（Ｒ）、緑（Ｇ）、青（Ｂ）の３色のカラーフィルタ層を周期的に配列して構成したもので、各表示画素にＲ、Ｇ、Ｂの３色が１組として対応付けられている。駆動電極ＣＯＭＬは、液晶表示デバイス２０の共通駆動電極として機能するとともに、タッチ検出デバイス３０Ｂの駆動電極としても機能するものである。駆動電極ＣＯＭＬは、図示しないコンタクト導電柱によってＴＦＴ基板２１と連結され、このコンタクト導電柱を介して、ＴＦＴ基板２１から駆動電極ＣＯＭＬに交流矩形波形の駆動信号Ｖcom（表示駆動信号Ｖcomdおよびタッチ検出駆動信号Ｖcomt）が印加されるようになっている。ガラス基板３１の他方の面には、タッチ検出デバイス３０Ｂの検出電極であるタッチ検出電極ＴＤＬが形成されている。タッチ検出電極ＴＤＬは、例えばＩＴＯ（Indium Tin Oxide）により構成されるものであり、透光性のある電極である。さらに、このタッチ検出電極ＴＤＬの上には、偏光板３５が配設されている。
【００６６】
液晶層６は、電界の状態に応じてそこを通過する光を変調するものであり、例えば、ＴＮ（ツイステッドネマティック）、ＶＡ（垂直配向）、ＥＣＢ（電界制御複屈折）等の各種モードの液晶が用いられる。
【００６７】
なお、液晶層６と画素基板２との間、および液晶層６と対向基板３との間には、それぞれ配向膜が配設され、また、画素基板２の下面側には入射側偏光板が配置されるが、ここでは図示を省略している。
【００６８】
図１３は、液晶表示デバイス２０における画素構造の構成例を表すものである。液晶表示デバイス２０は、マトリックス状に配列した複数の画素Ｐixを有している。画素Ｐixは、ＴＦＴ素子Ｔｒおよび液晶素子ＬＣを有している。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００６９】
画素Ｐixは、走査信号線ＧＣＬにより、液晶表示デバイス２０の同じ行に属する他の画素Ｐixと互いに接続されている。走査信号線ＧＣＬは、ゲートドライバ１２と接続され、ゲートドライバ１２より走査信号Ｖscan（後述）が供給される。また、画素Ｐixは、画素信号線ＳＧＬにより、液晶表示デバイス２０の同じ列に属する他の画素Ｐixと互いに接続されている。画素信号線ＳＧＬは、ソースドライバ１３と接続され、ソースドライバ１３より画素信号Ｖpix（後述）が供給される。
【００７０】
さらに、画素Ｐixは、駆動電極ＣＯＭＬにより、液晶表示デバイス２０の同じ行に属する他の画素Ｐixと互いに接続されている。駆動電極ＣＯＭＬは、駆動電極ドライバ１４Ｂと接続され、駆動電極ドライバ１４Ｂより駆動信号Ｖcom（表示駆動信号Ｖcomdおよびタッチ検出駆動信号Ｖcomt）が供給される。
【００７１】
制御部１７は、外部より供給された映像信号Ｖdispに基づいて、ゲートドライバ１２、ソースドライバ１３、駆動電極ドライバ１４Ｂ、およびタッチ検出部４０に対してそれぞれ制御信号を供給し、これらがお互いに同期して動作するように制御する回路である。
【００７２】
ゲートドライバ１２は、制御部１７から供給される制御信号に基づいて、タッチ検出機能付き表示デバイス１０の表示駆動の対象となる１水平ラインを順次選択する機能を有している。具体的には、ゲートドライバ１２は、走査信号Ｖscanを、走査信号線ＧＣＬを介して、画素ＰixのＴＦＴ素子Ｔｒのゲートに印加することにより、タッチ検出機能付き表示デバイス１０の液晶表示デバイス２０にマトリックス状に形成されている画素Ｐixのうちの１行（１水平ライン）を表示駆動の対象として順次選択するようになっている。
【００７３】
ソースドライバ１３は、制御部１７から供給される制御信号に基づいて、タッチ検出機能付き表示デバイス１０の各画素Ｐixに画素信号Ｖpixを供給する回路である。具体的には、ソースドライバ１３は、後述するように、画素信号Ｖpixを、画素信号線ＳＧＬを介して、ゲートドライバ１２により順次選択される１水平ラインを構成する各画素Ｐixにそれぞれ供給するものである。そして、これらの画素Ｐixでは、供給される画素信号Ｖpixに応じて、１水平ラインの表示が行われるようになっている。
【００７４】
駆動電極ドライバ１４Ｂは、制御部１７から供給される制御信号に基づいて、タッチ検出機能付き表示デバイス１０の駆動電極ＣＯＭＬに駆動信号Ｖcomを供給する回路である。具体的には、駆動電極ドライバ１４Ｂは、表示動作の際には、駆動電極ＣＯＭＬに対して表示駆動信号Ｖcomdを時分割的に順次印加することにより表示走査を行う。そして、タッチ検出動作の際には、上記第１の実施の形態と同様に、駆動電極ＣＯＭＬに対してタッチ検出駆動信号Ｖcomtを時分割的に順次印加することによりタッチ検出走査を行う。
【００７５】
タッチ検出動作において、タッチ検出機能付き表示装置７は、上記第１の実施の形態に係るタッチ検出装置１と同様に動作する。すなわち、駆動電極ドライバ１４Ｂは、タッチ検出幅ｂに係る駆動電極を同時に駆動し、その駆動に係る駆動電極を走査ピッチａずつシフトして走査する。タッチ検出機能付き表示デバイス１０は、この駆動において駆動電極に印加されたタッチ検出駆動信号Ｖcomtに応じたタッチ検出信号Ｖdetを出力する。タッチ検出部４０は、タッチ検出信号Ｖdetに基づいてタッチの有無を検出し、タッチがある場合においてタッチ位置の座標などを求める。
【００７６】
以上のように、本実施の形態では、タッチ検出デバイスと液晶表示デバイスとを一体化したので、タッチ検出機能付き表示装置をコンパクトにすることができる。その他の効果は、上記第１の実施の形態の場合と同様である。
【００７７】
上記実施の形態では、上記第１の実施の形態に係るタッチ検出デバイス３０と液晶表示デバイスとを一体化したが、これに限定されるものではなく、これに代えて、例えば、上記第２の実施の形態に係るタッチ検出デバイス５０と液晶表示デバイスとを一体化してもよい。
【００７８】
＜５．適用例＞
次に、図１４〜図１８を参照して、上記実施の形態および変形例で説明したタッチ検出装置の適用例について説明する。上記実施の形態等のタッチ検出装置は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、上記実施の形態等のタッチ検出装置は、外部から入力された映像信号あるいは内部で生成した映像信号を、画像あるいは映像として表示するあらゆる分野の電子機器に適用することが可能である。
【００７９】
（適用例１）
図１４は、上記実施の形態等のタッチ検出装置が適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係るタッチ検出装置により構成されている。
【００８０】
（適用例２）
図１５は、上記実施の形態等のタッチ検出装置が適用されるデジタルカメラの外観を表すものである。このデジタルカメラは、例えば、フラッシュ用の発光部５２１、表示部５２２、メニュースイッチ５２３およびシャッターボタン５２４を有しており、その表示部５２２は、上記実施の形態等に係るタッチ検出装置により構成されている。
【００８１】
（適用例３）
図１６は、上記実施の形態等のタッチ検出装置が適用されるノート型パーソナルコンピュータの外観を表すものである。このノート型パーソナルコンピュータは、例えば、本体５３１、文字等の入力操作のためのキーボード５３２および画像を表示する表示部５３３を有しており、その表示部５３３は、上記実施の形態等に係るタッチ検出装置により構成されている。
【００８２】
（適用例４）
図１７は、上記実施の形態等のタッチ検出装置が適用されるビデオカメラの外観を表すものである。このビデオカメラは、例えば、本体部５４１、この本体部５４１の前方側面に設けられた被写体撮影用のレンズ５４２、撮影時のスタート／ストップスイッチ５４３および表示部５４４を有している。そして、その表示部５４４は、上記実施の形態等に係るタッチ検出装置により構成されている。
【００８３】
（適用例５）
図１８は、上記実施の形態等のタッチ検出装置が適用される携帯電話機の外観を表すものである。この携帯電話機は、例えば、上側筐体７１０と下側筐体７２０とを連結部（ヒンジ部）７３０で連結したものであり、ディスプレイ７４０、サブディスプレイ７５０、ピクチャーライト７６０およびカメラ７７０を有している。そのディスプレイ７４０またはサブディスプレイ７５０は、上記実施の形態等に係るタッチ検出装置により構成されている。
【００８４】
以上、いくつかの実施の形態および変形例、ならびに電子機器への適用例を挙げて本発明を説明したが、本発明はこれらの実施の形態等には限定されず、種々の変形が可能である。
【００８５】
例えば、上記第３の実施の形態では、ＴＮやＶＡ、ＥＣＢ等の各種モードの液晶を用いた液晶表示デバイス２０とタッチ検出デバイス３０とを一体化してタッチ検出機能付き表示デバイス１０を構成したが、これに代えて、ＦＦＳ（フリンジフィールドスイッチング）やＩＰＳ（インプレーンスイッチング）等の横電界モードの液晶を用いた液晶表示デバイスとタッチ検出デバイスとを一体化しても良い。例えば、横電界モードの液晶を用いた場合には、タッチ検出機能付き表示デバイス６０を、図１９に示したように構成可能である。この図は、タッチ検出機能付き表示デバイス６０の要部断面構造の一例を表すものであり、画素基板２Ｂと対向基板３Ｂとの間に液晶層６Ｂを挟持された状態を示している。その他の各部の名称や機能等は図１２の場合と同様なので、説明を省略する。この例では、図１２の場合とは異なり、表示用とタッチ検出用の双方に兼用される駆動電極ＣＯＭＬは、ＴＦＴ基板２１の直ぐ上に形成され、画素基板２Ｂの一部を構成する。駆動電極ＣＯＭＬの上方には、絶縁層２３を介して画素電極２２が配置される。この場合、駆動電極ＣＯＭＬとタッチ検出電極ＴＤＬとの間の、液晶層６Ｂをも含むすべての誘電体が容量Ｃ１の形成に寄与する。
【００８６】
なお、本発明は、以下の構成としてもよい。
【００８７】
本発明のタッチ検出装置は、複数の駆動電極と、検出電極と、走査駆動部とを備えている。複数の駆動電極は、一方向に延在するように並設されたものである。検出電極は、駆動電極の延在方向と直交する方向に延在し、その交差部分に静電容量を形成するように配置されたものである。走査駆動部は、複数の駆動電極から駆動対象電極を所定の複数本ずつ時分割的に順次選択し、その選択された駆動対象電極に対して外部近接物体を検出するための複数のパルス波形を有するタッチ検出駆動信号を印加することにより走査駆動を行うものである。上記走査駆動の走査ピッチは、選択された複数本の駆動対象電極の全幅よりも小さいものである。
【００８８】
本発明のタッチ検出装置の駆動方法は、一方向に延在するように並設された複数の駆動電極から駆動対象電極を所定の複数本ずつ時分割的に順次選択し、その選択された駆動対象電極に対して外部近接物体を検出するための複数のパルス波形を有するタッチ検出駆動信号を印加し、走査ピッチが、選択された複数本の駆動対象電極の全幅よりも小さくなるように走査駆動を行い、駆動電極の延在方向と直交する方向に延在し、その交差部分に静電容量を形成するように配置された検出電極の検出信号に基づいて外部近接物体を検出するものである。
【００８９】
本発明のタッチ検出機能付き表示装置は、複数の駆動電極と、検出電極と、表示素子と、走査駆動部とを備えている。複数の駆動電極は、一方向に延在するように並設されたものである。検出電極は、駆動電極の延在方向と直交する方向に延在し、その交差部分に静電容量を形成するように配置されたものである。表示素子は、画素信号および表示駆動信号に基づいて表示を行うものである。走査駆動部は、複数の駆動電極に対して、表示駆動信号を時分割的に順次印加する第１の走査駆動と、複数の駆動電極から駆動対象電極を所定の複数本ずつ時分割的に順次選択し、その選択された駆動対象電極に対して外部近接物体を検出するための複数のパルス波形を有するタッチ検出駆動信号を印加する第２の走査駆動とを行うものである。上記走査駆動の走査ピッチは、選択された複数本の駆動対象電極の全幅よりも小さいものである。
【００９０】
本発明の電子機器は、上記タッチ検出装置を備えたものであり、例えば、テレビジョン装置、デジタルカメラ、パーソナルコンピュータ、ビデオカメラあるいは携帯電話等の携帯端末装置などが該当する。
【００９１】
本発明のタッチ検出装置、タッチ検出装置の駆動方法、タッチ検出機能付き表示装置、および電子機器では、複数のパルス波形を有するタッチ検出駆動信号を、所定の複数本ずつ時分割的に順次選択された駆動対象電極に印加することにより、タッチ検出の走査駆動が行われる。その走査駆動は、選択された複数本の駆動対象電極の全幅よりも小さい走査ピッチで行われる。
【００９２】
本発明のタッチ検出装置では、例えば、検出電極の検出信号を駆動信号の複数のパルス波形の遷移に対応したタイミングでサンプリングすることにより外部近接物体を検出するタッチ検出部をさらに備えるのが望ましい。この場合、タッチ検出部は、例えば、走査駆動部が駆動対象電極を駆動するごとに、その駆動された駆動対象電極に対応する領域についての外部近接物体の検出を完了するのが望ましく、順次選択された駆動対象電極ごとに得られた全ての検出結果に基づいてタッチ位置を求めるのが望ましい。
【００９３】
駆動電極は、例えば以下の２つの方法で構成することができる。
【００９４】
例えば、複数の駆動電極は、それぞれ互いに同じ幅で構成してもよい。この場合、走査駆動は、例えば、複数本の駆動対象電極に対してタッチ検出駆動信号を同時に印加するとともに、その駆動対象電極を所定の複数本より少ない本数ずつシフトして走査を行うようにすることができる。
【００９５】
また、例えば、複数の駆動電極は、互いに異なる幅をもつ２種類の駆動電極を含み、２種類の駆動電極は交互に並設されるように構成してもよい。この場合、走査駆動は、交互に並設された２種類の駆動電極のうちの隣接する３本からなる駆動対象電極に対してタッチ検出駆動信号を同時に印加するとともに、その駆動対象電極を２本ずつシフトして走査を行うようにすることができる。
【符号の説明】
【００９６】
１，５…タッチ検出装置、２…画素基板、３，３Ｂ…対向基板、６，６Ｂ…液晶層、７
…タッチ検出機能付き表示装置、１０，６０…タッチ検出機能付き表示デバイス、１１，
１７…制御部、１２…ゲートドライバ、１３…ソースドライバ、１４，１４Ｂ，１６…駆
動電極ドライバ、２０…液晶表示デバイス、２１…ＴＦＴ基板、２２…画素電極、３０，
３０Ｂ，５０…タッチ検出デバイス、３１…ガラス基板、３２…カラーフィルタ、３５…
偏光板、４０…タッチ検出部、４２…アナログＬＰＦ部、４３…Ａ／Ｄ変換部、４４…信
号処理部、４５…座標抽出部、４６…検出タイミング制御部、Ａ１〜Ａ４，Ａｎ…駆動範
囲、ａ…走査ピッチ、Ｂ１〜Ｂ４，Ｂｎ…駆動範囲、ｂ…タッチ検出幅、ＣＯＭＬ，ＣＯ
ＭＬＡ，ＣＯＭＬＢ，ＣＯＭＬＣ…駆動電極、ＧＣＬ…走査信号線、ＬＣ…液晶素子、Ｏ
ut…出力信号、Ｐix…画素、Ｐ１〜Ｐ４…期間、ＳＧＬ…画素信号線、ＴＤＬ…タッチ検
出電極、Ｔｒ…ＴＦＴ素子、Ｖcomt…タッチ検出駆動信号、Ｖdet…タッチ検出信号。
【図１】
2015028801.tif 000003
【図２】
2015028801.tif 000004
【図３】
2015028801.tif 000005
【図４】
2015028801.tif 000006
【図５】
2015028801.tif 000007
【図６】
2015028801.tif 000008
【図７】
2015028801.tif 000009
【図８】
2015028801.tif 000010
【図９】
2015028801.tif 000011
【図１０】
2015028801.tif 000012
【図１１】
2015028801.tif 000013
【図１２】
2015028801.tif 000014
【図１３】
2015028801.tif 000015
【図１４】
2015028801.tif 000016
【図１５】
2015028801.tif 000017
【図１６】
2015028801.tif 000018
【図１７】
2015028801.tif 000019
【図１８】
2015028801.tif 000020
【図１９】
2015028801.tif 000021